(57)【要約】【課題】  浸水の発生状況をリアルタイムに把握することができ、しかも、浸水箇所を把握することもできるようになる浸水検出センサ及びこの製造方法、並びにこの浸水検出センサを備えた防水検査モジュール及び防水検査装置を提供する。【解決手段】  本発明に係る浸水検出センサ２は、絶縁性シートからなる基材２１０と、基材２１０の両面に接合される導電性シートからなる一対の電極材２１１，２１１とを備え、基材２１０の端縁と電極材２１１，２１１の端縁とが一致した端面構造を平行電極として少なくとも一部に有する。【選択図】図２
2011107096.tif 000002
【特許請求の範囲】
【請求項１】
絶縁性シートからなる基材と、基材の両面に接合される導電性シートからなる一対の電極材とを備え、基材の端縁と電極材の端縁とが一致した端面構造を平行電極として少なくとも一部に有することを特徴とする浸水検出センサ。
【請求項２】
絶縁性シートからなる基材の両面に導電性シートからなる一対の電極材を接合して積層体を構成し、積層体の少なくとも一部の端面を研磨することにより、基材の端縁と電極材の端縁とが一致した端面構造を平行電極として形成することを特徴とする浸水検出センサの製造方法。
【請求項３】
検査対象物が配置される検査面を有する絶縁性のベースと、平行電極が検査面に沿って配置されるようにしてベースに取り付けられる請求項１に記載の浸水検出センサと、開口部を有し、開口部に検査面が内側から面するようにしてベース及び浸水検出センサを収容する容器と、浸水検出センサからのリード線が接続され、外部接続可能なコネクタとを備えることを特徴とする防水検査モジュール。
【請求項４】
請求項３に記載の防水検査モジュールを載置するテーブルと、防水検査モジュールに対して検査水を供給する給水系と、防水検査モジュールのコネクタに接続されたケーブルを介して浸水検出センサからの信号出力を受け取るコンピュータとを備えることを特徴とする防水検査装置。
【発明の詳細な説明】
【技術分野】
【０００１】
本発明は、調べたい箇所に浸水が発生しているか否かを検出する浸水検出センサ及びこの製造方法、並びにこの浸水検出センサを備えた防水検査モジュール及び防水検査装置に関し、例えば、携帯電話端末の表示部（主としてＬＣＤ表示部）やスピーカが設けられている箇所に用いられるガスケット材、あるいは携帯電話端末に貼着されるラベル（粘着テープ）の防水評価を行うために有用である。
【背景技術】
【０００２】
例えば、携帯電話端末の本体ケースに形成された表示窓の周縁部と該表示窓を覆う透明板の周縁部との間に配置される間装材は、シートの厚みが０．３〜１．０ｍｍ程度で１．０〜２．０ｍｍ幅の枠形状に打ち抜かれ、本体ケースの表示窓の周縁部に両面テープを用いて固定され、３０〜５０％程度に圧縮して使用される。本来、間装材は、携帯電話端末が落下した時のＬＣＤの破損を保護する衝撃吸収材として用いられるが、最近、耐衝撃性だけでなく、携帯電話端末の雨中での使用や水に対する浸漬を想定して防水性が要求されるようになってきている。
【０００３】
かかる間装材（防水性を備えるという意味で「ガスケット材」という）の防水評価は、携帯電話端末を模倣した容器内にセットしたガスケット材を通して水が侵入するか否かを視覚的に確認する方法、即ち、ガスケット材の近傍に感水紙をセットし、感水紙の着色を観察する方法によるものが一般的である（特許文献１を参照）。
【０００４】
尚、携帯電話端末の本体ケースに形成された表示窓に取り付け、携帯電話端末の水没の判定を容易に行うことができるようにした水没判定シールユニットが提案されているが（特許文献２）、これはガスケット材の防水評価を行うものではない。
【先行技術文献】
【特許文献】
【０００５】
【特許文献１】特開２００９−２０３２６５号公報
【特許文献２】特開２０００−１０６５９６号公報
【発明の概要】
【発明が解決しようとする課題】
【０００６】
しかしながら、上記方法にあっては、検査中は容器表面に水滴が散点的に付着している状態となり、容器内の感水紙の変化を目視では観察しづらい。従って、感水紙の判定は検査終了後に行われることとなるが、そのことで、浸水の発生タイミングや浸水箇所が分かりにくくなっている。そのため、防水評価に定量的な方法が望まれている。
【０００７】
そこで、本発明は、上記問題に鑑みてなされたもので、浸水の発生状況をリアルタイムに把握することができ、しかも、浸水箇所を把握することもできるようになる浸水検出センサ及びこの製造方法、並びにこの浸水検出センサを備えた防水検査モジュール及び防水検査装置を提供することを課題とするものである。
【課題を解決するための手段】
【０００８】
本発明に係る浸水検出センサは、絶縁性シートからなる基材と、基材の両面に接合される導電性シートからなる一対の電極材とを備え、基材の端縁と電極材の端縁とが一致した端面構造を平行電極として少なくとも一部に有することを特徴とする。
【０００９】
また、本発明に係る浸水検出センサは、いろいろな方法で製造され得るが、その一つとして、本発明に係る浸水検出センサの製造方法は、絶縁性シートからなる基材の両面に導電性シートからなる一対の電極材を接合して積層体を構成し、積層体の少なくとも一部の端面を研磨することにより、基材の端縁と電極材の端縁とが一致した端面構造を平行電極として形成することを特徴とする。
【００１０】
また、本発明に係る防水検査モジュールは、検査対象物が配置される検査面を有する絶縁性のベースと、平行電極が検査面に沿って配置されるようにしてベースに取り付けられる上記浸水検出センサと、開口部を有し、開口部に検査面が内側から面するようにしてベース及び浸水検出センサを収容する容器と、浸水検出センサからのリード線が接続され、外部接続可能なコネクタとを備えることを特徴とする。
【００１１】
また、本発明に係る防水検査装置は、上記防水検査モジュールを載置するテーブルと、防水検査モジュールに対して検査水を供給する給水系と、防水検査モジュールのコネクタに接続されたケーブルを介して浸水検出センサからの信号出力を受け取るコンピュータとを備えることを特徴とする防水検査装置。
【００１２】
かかる構成によれば、浸水が発生した場合、これが平行電極に跨ると、閉回路が形成されて電流が流れ（あるいは、浸水検出センサに印加される電圧変化が生じ）、これにより、浸水が検出される。
【発明の効果】
【００１３】
以上のように、本発明によれば、浸水を電気的に検出するため、浸水の発生状況をリアルタイムに把握することができる。また、検査対象物に対してセンサを複数配置することにより、浸水箇所を把握することもできるようになる。
【図面の簡単な説明】
【００１４】
【図１】本実施形態に係る浸水検出センサ及びこれを組み込んだ本実施形態に係る防水検査モジュールの断面側面図を示す。
【図２】同浸水検出センサの分解斜視図を示す。
【図３】同浸水検出センサを組み立てた状態の斜視図を示す。
【図４】同浸水検出センサの検査面に検査対象物たるガスケット材を配置した状態の斜視図を示す。
【図５】（ａ）は、浸水検出の原理を説明するための防水検査モジュールの部分拡大図、（ｂ）は、同防水検査装置の電気構成図を示す。
【図６】同防水検査装置の全体構成図を示す。
【図７】（ａ）〜（ｄ）は、検査対象物の形状とそれに対するセンサ部の配置態様の各種例を示す。
【図８】（ａ）は、検査対象物が幅広である場合の、浸水検出の原理を説明するための防水検査モジュールの部分拡大図、（ｂ）は、他の実施形態に係る防水検査モジュールの部分拡大図を示す。
【発明を実施するための形態】
【００１５】
以下、本発明の一実施形態について、図面を参酌しつつ説明する。
【００１６】
図１は、本実施形態に係る浸水検出センサ及びこれを組み込んだ本実施形態に係る防水検査モジュールの断面側面図を示す。本実施形態に係る防水検査モジュールは、図１に示すように、内部を開放可能な容器１（例えば、箱状になっている本体１ａの開口部に蓋体１ｂが着脱自在に取り付けられる構造）内に、本実施形態に係る浸水検出センサ２を備えている。より詳しくは、容器１には、開口部１ｃが設けられ、該開口部１ｃに面する状態で、浸水検出センサ２が容器１内に配置される。そして、開口部１ｃの周縁部と該開口部１ｃに配置される浸水検出センサ２の対向部位との間に、検査対象物Ｔが配置される。
【００１７】
浸水検出センサ２は、図２に示すように、偏平なブロック形状で且つ絶縁性のベース２０と、該ベース２０の側面に当接され、その状態が絶縁性の押さえ部材２２によって維持されるセンサ部２１とを備える。本実施形態においては、四角形乃至略四角形の枠形状を呈する検査対象物Ｔ（図４参照）の各辺に対応してセンサ部２１を四つ設けるべく、ベース２０は、平面視にて四角形状乃至略四角形状を有する。より詳しくは、ベース２０は、非正方形の枠形状を呈する検査対象物Ｔに対応して、長方形乃至略長方形に形成され、長辺側の側面には、該側面と同一乃至略同一形状に形成されたセンサ部２１及び押さえ部材２２が取り付けられる一方、短辺側の側面は、両端を除いて凹状に形成され、該凹部２０ａに、該凹部２０ａの底面と同一乃至略同一形状に形成されたセンサ部２１及び押さえ部材２２が取り付けられる。また、短辺側のセンサ部２１と押さえ部材２２とを合わせた厚みは、凹部２０ａの深さと同一乃至略同一に形成されている。従って、ベース２０の長辺側の側面に、対応するセンサ部２１及び押さえ部材２２が取り付けられ、且つ、短辺側の側面（の凹部２０ａ）に、対応するセンサ部２１及び押さえ部材２２が（挿入されて）取り付けられた状態では、平面視にて長方形状乃至略長方形状を呈し、その四辺のそれぞれにセンサ部２１が配置された格好となる（図３参照）。
【００１８】
尚、センサ部２１をベース２０に取り付けるために、図示はしないが、ベース２０の側面の適宜箇所にネジ孔が形成され、これに対応したセンサ部２１及び押さえ部材２２の箇所に貫通孔が形成され、押さえ部材２２とセンサ部２１を貫通させたボルト（あるいはビス）をベース２０の側面のネジ孔に螺合させる構造を採る。また、この際、ボルト（あるいはビス）の頭部が押さえ部材２２から外方に突出しないよう、押さえ部材２２の貫通孔の外方側には、頭部が収容される座グリ部が形成される。但し、センサ部２１をベース２０に取り付ける方法は、これに限定されず、円柱状のピンを用いたり、あるいは、センサ部２１をベース２０の側面に接着し、センサ部２１を保護する観点から押さえ部材２２に相当する部材をセンサ部２１に接着するようにしてもよい。また、ピンを用いる方法は、ボルト（あるいはビス）を用いる方法と併用してもよい。ピンは、ベース２０に対するセンサ部２１の位置決め（位置ずれ防止）としても機能する。
【００１９】
センサ部２１は、複数枚のシートが積層された構造であり、基材（ベースシート）２１０と、該基材２１０の両面に接合される電極材（電極シート）２１１と、各電極材２１１の外面に接合される保護材（保護シート）２１２とで構成される。基材２１０及び保護材２１２は、例えばポリイミドからなるフレキシブル（柔軟）な絶縁性シートが用いられ、また、電極材２１１は、例えば圧延され、電極材２１１が腐食しないように無電解金メッキが表面に施された銅箔といった導電性シートが用いられる。そして、これら複数枚のシートが積層されることにより、一方の電極材２１１を正極、他方の電極材２１１を負極として、両電極材２１１，２１１が、基材２１０の厚み（より正確には、基材２１０と電極材２１１、電極材２１１と保護材２１２とはそれぞれ絶縁性の接着シートにより接合されるため、基材２１０の厚みと、該基材２１０と各電極材２１１とを接合する二枚の接着シートの厚みを足した厚み、即ち、電極材２１１，２１１間の絶縁層の厚み）だけ離間した平行電極が構成される。しかも、絶縁性の保護材２１２，２１２により、センサ部２１の表面は絶縁性を有する。本実施形態においては、基材２１１の厚みが約２５μｍ、各接着シートの厚みも約２５μｍなので、平行電極の間隔は、約７５μｍである。因みに、本実施形態においては、電極材２１１の厚みは約３５μｍ、保護材２１２の厚みは約２５μｍである。但し、これらの厚みは適宜変更可能であることは言うまでもない。
【００２０】
ところで、上記各シート２１０，２１１，２１１，２１２，２１２は、それを積層する際、平行電極を構成する電極材２１１，２１１の端縁と、これに対応する基材２１０及び保護材２１２，２１２の端縁とを誤差無く一致させることは難しい。従って、後で詳細に説明するが、積層体の端面をシート面と直交する方向で研磨し、平滑に仕上げることにより、平行電極を構成する電極材２１１，２１１の端縁と、これに対応する基材２１０及び保護材２１２，２１２の端縁とを一致させるようにしている。
【００２１】
このように、フレキシブルな基材２１０の両面に電極材２１１，２１１を接合して平行電極を作製する方法は、通常のプリント基板のように、銅箔の表面をエッチングして平行電極を作製する方法に比べて、電極間隔及び電極の平行度の精度、並びに耐剥離強度が格段に向上する。また、後者の方法は、電極がプリント基板面から膨らむ凸状になり、この段差が浸水に対する通過抵抗となって適正な防水評価を行うことができないおそれがあるが、前者の方法は、端縁を研磨により平滑化することで、平行電極を構成する電極材２１１，２１１の端縁が基材２１０及び保護材２１２，２１２の端縁（と、さらに、後述する理由によりベース２０の表面）と面一となり、かかる問題は生じない。
【００２２】
ところで、電極材２１１は、平行電極を構成する端縁とは異なる端縁から突出するリード２１１ａを有する。より詳しくは、電極材２１１は、平行電極を構成する端縁とは反対側の端縁にリード２１１ａを有する。しかも、正極用の電極材２１１のリード２１１ａと、負極用の電極材２１１のリード２１１ａとが干渉しないよう、それぞれリード２１１ａの形成箇所が異なる。尚、基材２１０の対応する端縁からも各リード２１１ａに対応して一対の補強片２１０ａ，２１０ａが突出しており、各リード２１１ａが対応する補強片２１０ａに（例えば接着シートを介して）接合される。
【００２３】
このようにして作製された四つのセンサ部２１，…を用い、上述したように、図３に示すように、ベース２０の長辺側の側面に、対応するセンサ部２１及び押さえ部材２２を取り付け、且つ、短辺側の側面（の凹部２０ａ）に、対応するセンサ部２１及び押さえ部材２２を（挿入されて）取り付けて、四辺のそれぞれにセンサ部２１が配置された状態となるように、浸水検出センサ２を組み立てた後、その上面を研磨し、平滑に仕上げることにより、上述したように、平行電極を構成する電極材２１１，２１１の端縁と、基材２１０及び保護材２１２，２１２の端縁と、さらには、ベース２０の表面とが面一となり、浸水検出センサ２の一面に全体的に平滑な検査面Ｓが構成される。
【００２４】
そして、この浸水検出センサ２は、支持プレート３によって支持される。即ち、支持プレート３には、浸水検出センサ２の平面視での外形状と一致する凹部３ａが形成され、その凹部３ａに浸水検出センサ２の検査面Ｓとは反対側の一部が挿入されるようになっている。その際、浸水検出センサ２の検査面Ｓとは反対側の面からは各リード２１１ａが突出しているが、凹部３ａには、各リード２１１ａに対応して貫通孔３ｂが形成され（４組の平行電極の各組に正負からなる一対のリード２１１ａ，２１１ａがあるので、リード２１１ａの数は合計八つであり、従って、貫通孔３ｂの数も八つである）、該貫通孔３ｂにリード２１１ａが挿通され、リード２１１ａの先端側は、支持プレート３の浸水検出センサ２が取り付けられる側の面とは反対側の面から突出する。
【００２５】
そして、図４に示すように、浸水検出センサ２の検査面Ｓに検査対象物Ｔが配置される。検査対象物Ｔは、上述したように、四角形乃至略四角形の枠形状であり、同じ形状を有する両面テープを用いて検査面Ｓに貼着されるが、後述する理由により、検査対象物Ｔの各辺がセンサ部２１（平行電極）よりも内側になるよう、配置される。言い換えれば、検査対象物Ｔの各辺に対し、その外側に平行にセンサ部２１（平行電極）が配置される格好となる。
【００２６】
尚、支持プレート３の外周の適宜箇所には、ボルト（あるいはビス）を通すための貫通孔３ｃが形成されている。そこで、図１に戻り、当該ボルト（あるいはビス）４を支持プレート３の下側から貫通孔３ｃに通し、貫通させたボルト（あるいはビス）４を容器１の内面（より正確には、開口部１ｃの周り）に形成されたネジ孔に螺合させて、浸水検出センサ２を容器１の内面に取り付ける。このとき、開口部１ｃの周縁部と該開口部１ｃを容器１の内側から覆うようにして配置される浸水検出センサ２の検査面Ｓとの間を所定の間隔に維持するために、容器１の内面と支持プレート３との間には、カラー５が設けられる。該カラー５は、浸水検出センサ２の周りを囲うような枠形状であってもよいし、ボルト（あるいはビス）４が挿通される箇所にのみ設けるようにしてもよい。そして、容器１の内面とカラー５との間にスペーサ（図示しないが、例えばリンセイ銅箔からなる）を設けて、開口部１ｃの周縁部と浸水検出センサ２の検査面Ｓとの間の隙間寸法（ギャップ寸法）を調整できるようになっている。尚、ギャップ調整は、厚さが同じスペーサ（例えば、０．０５ｍｍ）あるいは厚さが異なるスペーサを一枚あるいは複数枚組み合わせて使用する等、種々の方法を選択することができ、また、ギャップ調整は、検査対象物Ｔが５０〜８０％圧縮されるのを目安とする。
【００２７】
ところで、本実施形態において、検査対象物Ｔは、携帯電話端末の本体ケースに形成された表示窓の周縁部と該表示窓を覆う透明板の周縁部との間に配置されるガスケット材を想定している。ガスケット材は、通常、圧縮して使用されるので、上記のように圧縮している。また、容器１の開口部１ｃも携帯電話端末の本体ケースの表示窓を想定し、その場合、浸水検出センサ２の検査面Ｓが携帯電話端末の表示窓を覆う透明板に見立てられる。即ち、本実施形態に係る防水検査モジュールは、携帯電話端末の表示窓と透明板との間に配置されるガスケット材（及びこの両面に貼り付けられる両面テープ）を通って水が内部に浸水するか否かの検査を、実際の携帯電話端末を用いるのではなく、但し、できるだけ実際の環境に近づけるようにして、模擬的に行うものである。仮に、浸水があるとすれば（開口部１ｃに対して散水（供給）される水がガスケット材（あるいはこの両面に貼り付けられる両面テープ）を通って内部に浸水するのであれば）、その水が平行電極を電気的に接続し、信号が出力され、浸水の発生状況や浸水箇所を的確に把握することができるというものである。
【００２８】
尚、信号を防水検査モジュール外に取り出すために、各リード２１１ａには、リード線６が接続され（実線は正極のリード線、破線は負極のリード線を表す）、各リード線６が外部から電気的に接続可能で且つ防水性を有するコネクタ７の対応する端子に接続される。また、場合によっては、容器１内の温度、湿度を測定するためのセンサが容器１内に設けられることもある。これは、平行電極が信号を出力した際、それが浸水により動作したものであるのか、あるいは、例えば結露により偶発的に動作してしまった（誤動作）のかを判別するためのものである。
【００２９】
次に、本実施形態に係る防水検査装置の測定原理を図５に示す。尚、図５は、測定原理を理解しやすいよう、図１〜図４とは異なり、特に正確な寸法関係等を無視して概念的に描写している。図５（ｂ）に示すように、センサ部２１（の電極材２１１，２１１）に接続されたリード線６，６には、定電圧電源８が接続され、センサ部２１（の電極材２１１，２１１）と定電圧電源８との間に、浸水が発生した際の過電流を防止するための保護抵抗としての抵抗Ｒが接続され、該抵抗Ｒ間の電圧を電圧計９により測定するようにしている。実際には、定電圧電源８が５Ｖであり、抵抗Ｒが２ｋΩであり、平行電極間に５Ｖの電圧を印加する。
【００３０】
そこで、平行電極の浸水状態を抵抗の電圧変化で測定するようにする。浸水がなければ、電圧値は０Ｖである。一方、図５（ａ）のようにガスケット材（検査対象物Ｔ）を通って浸水が発生し、図５（ｂ）に示すように浸水が水滴Ｌとなって、平行電極に跨ると、閉回路が形成されて、電圧値は５Ｖとなる。即ち、浸水がなければ、信号が出ない（電流が流れない）が、浸水が発生すると、信号が出力され（電流が流れ）、浸水が検出される。
【００３１】
かかる回路は、図示はしないが、センサ部２１毎に設けられる。従って、ガスケット材（検査対象物Ｔ）の周囲に設置する平行電極を四辺のそれぞれに対応して設ける（平行電極を分割配置する）ことにより、どの辺で浸水が発生したかを的確に把握、即ち、浸水箇所を的確に把握することができる。尚、浸水箇所をより細かく把握するために、平行電極をさらに細かく分割配置することが好ましい。
【００３２】
ところで、携帯電話端末に使用される材料の防水性能は、ＪＩＳ  Ｃ０９２０で規定されており、ＩＰＸレベル（１〜７）で表現される場合が多い。ＩＰＸレベルは、第２示性数字の大小で浸水に対する保護等級を表している。ＩＰＸ−７，８は水に浸漬した状態での防水性を表しており、ＩＰＸ−６までは各ＩＰＸレベルに対応するノズルを使用し、水量、水圧を変化させて防水評価をしている。ＩＰＸ−１は、水滴状の降雨を想定したドリップボックスからの散水試験である。ドリップボックスでは水圧もかからず、水量も少ない条件での試験になっている。しかし、ＩＰＸ−２は、ドリップボックスによる散水を行いながら、検査対象物を回転（２ｒｐｍ以下）させる。ＩＰＸ等級が高く、ＩＰＸ−５，６の場合、使用ノズルの口径が大きくなり、散水ノズルを用いるＩＰＸ−３，４の散水状態から放水状態になり、水圧、水量も大きくなる。近年、携帯電話端末のメーカでは、ＩＰＸ−１，２の防水評価に加え、水圧、水量の大きいＩＰＸ−５での防水評価も行うようになってきている。
【００３３】
従って、これらの情勢に対応するためには、防水検査モジュールを載置するテーブルの回転、防水検査モジュールの取付角度の変更やノズルの交換が必要である。そこで、これらを踏まえた本実施形態に係る防水検査装置を図６に示す。本実施形態に係る防水検査装置は、給水タンク１０に貯留されている水（イオン交換水）をポンプ１１で汲み上げ、バルブ１２を介してノズル１３より防水検査モジュールＸに散水する。ノズル１３は、二種類のノズルが取り付けられるようになっており、モータ１４の軸に対して回転し、何れか一方が選択されるようになっている。また、必要に応じて、ノズルの噴射角度を変更可能に構成してもよい。
【００３４】
防水検査モジュールＸは、回転テーブル１５の上に載置させた傾斜台１５ａに取り付けられ、モータ１６により回転させられる。また、防水検査モジュールＸは、センサ部２１による電気計測を行うため、モータ１６と回転テーブル１５との間にスリップリング１７を設け、回転テーブル１５が回転中でも端子台１８に電気的な接続ができるようになっている。しかも、回転テーブル１５にも端子台１９が設けられ、該端子台１９と防水検査モジュールＸのコネクタ７とがケーブルにより接続される。従って、防水検査モジュールＸからの信号は、コネクタ７、ケーブル、端子台１９、該端子台１９と（回転テーブル１４の内部で）電気的に接続されているスリップリング１７、該スリップリング１７と端子台１８とを接続するケーブル、そして、端子台１８を経由し、該端子台１８にケーブルを介して接続されるパソコン（図示しない）に向けて出力される。パソコンは、電圧値と時間とをリアルタイムに表示し、且つ、測定データの記録と保存を行う。従って、本実施形態に係る防水検査装置によれば、（パソコンのモニタ上に表される電圧と時間のグラフを見ながら）オンラインで浸水状態をモニターすることができ、浸水の発生タイミング（即ち、散水を開始してから信号を受信するまでの時間）をリアルタイムに且つ定量的に把握することができる。
【００３５】
尚、上記した抵抗Ｒが２．０ｋΩと高抵抗値であるため、大きな電流が流れるようなことはなく、この点、心配はないが、念のため、浸水が検出される（浸水に基づき検出された電圧値が予め設定しておいたしきい値に達する）と、定電圧電源８からの電圧出力が停止されるようになっている。
【００３６】
以上、本実施形態によれば、検査対象物Ｔの近傍（より詳しくは、検査対象物Ｔを挟んで検査用の水が供給される側とは反対側における検査対象物Ｔの近傍）にセンサ部（平行電極）２１を配置し、浸水が発生するとした場合の、検査用の水を供給してからセンサ部２１が浸水を検出するまでの時間を把握することができるため、浸水の発生タイミングをリアルタイムに且つ定量的に把握することができる。
【００３７】
また、本実施形態によれば、検査対象物Ｔに対し、一つのセンサ部（平行電極）２１ではなく、複数のセンサ部（平行電極）２１，…を準備し、且つ、検査対象物Ｔに対し、複数のセンサ部（平行電極）２１，…を分割して配置するようにしているため、どのセンサ部２１が反応したかを特定することにより、浸水箇所を的確に把握することができる。
【００３８】
また、本実施形態によれば、検査対象物Ｔが配置される検査面Ｓと面一となるようにしてセンサ部（平行電極）２１を配置し、センサ部（平行電極）２１を含め、検査面Ｓを平滑に構成しているため、検査対象物Ｔを通ってセンサ部（平行電極）２１に向かう浸水に対する通過抵抗が無くなり、その結果、センサ部（平行電極）２１に跨る以前に浸水の動きが止まってしまい、浸水はしているが、いつまで経ってもセンサ部（平行電極）２１が閉回路を形成せずに、浸水を検出できないような事態や、センサ部（平行電極）２１に跨る以前に浸水の動きが止まってしまうものの、後からさらにやってくる浸水に押されて動きを再開し、何れは浸水は検出できるが、それでは浸水の発生タイミングが適正ではないといった遅延状態を無くすことができる。
【００３９】
また、本実施形態によれば、厚みが一定の基材２１０を挟み込むように両面側から電極材２１１，２１１を積層するようにしてセンサ部（平行電極）２１を構成するため、平行電極の平行度を高いものとし、高精度のセンサを達成することができる。
【００４０】
尚、本発明は、上記実施形態に限定されるものではなく、本発明の要旨を逸脱しない範囲で種々の変更が可能である。
【００４１】
例えば、上記実施形態においては、携帯電話端末の本体ケースに形成された表示窓の周縁部と該表示窓を覆う透明板の周縁部との間に配置されるガスケット材を検査対象物としているが、これに限定されるものではなく、その他の箇所（例えば、スピーカ）におけるガスケット材を検査対象物としてもよく、また、携帯電話端末に貼着されるラベルを検査対象物としてもよい。さらには、携帯電話端末に限らず、その他の機器に適用されるガスケット材、粘着材、粘着テープ（両面テープ、片面テープ）、ラベル、接着材や、その他、通水性を否定し得ない（防水性を肯定し得ない）あらゆる材料を検査対象とする。
【００４２】
また、上記実施形態においては、検査媒体として、水を用いているが、これに限定されず、要は液体であればよい。
【００４３】
また、上記実施形態においては、枠形状の検査対象物Ｔに対し、各辺に対応してセンサ部２１を配置するようにしているが、センサ部の配置態様（分割配置態様）はこれに限定されない。例えば、図７（ａ）に示すように、角部と、該角部を除く辺部とにそれぞれセンサ部２１を配置するようにすれば、検査対象物Ｔの機械的特性が異なる部位単位での防水評価が可能となる。尚、参考までに、代表的な検査対象物Ｔの形状とそれに対するセンサ部２１の配置態様を図７（ｂ）〜（ｄ）に示しておく。
【００４４】
また、上記実施形態においては、センサ部（平行電極）２１が検査対象物Ｔを取り囲むようにして分割配置されているが、検査対象物Ｔの所定箇所の浸水だけが（特に）問題となるような場合、その箇所に対応してセンサ部（平行電極）２１を配置、即ち、部分配置するようにしてもよい。
【００４５】
また、上記実施形態においては、検査対象物Ｔが幅１ｍｍ程度の細いガスケット材であったが、検査対象物がより幅広な場合は、浸水が検査対象物を通るまでに時間がかかるため、図８（ａ）に示すように、センサ部（平行電極）２１の上を跨ぐようにして検査対象物Ｔを配置し、浸水を検出するようにしてもよい。
【００４６】
また、上記実施形態においては、検査面Ｓが平面であるが、図８（ｂ）に示すように、検査対象物Ｔが配置される箇所よりもセンサ部２１側が低くなるように、即ち、センサ部２１を検査面Ｓの検査対象物Ｔが配置される領域よりも低くなるように配置してもよい。
【００４７】
また、上記実施形態においては、センサ部２１における電圧変化により浸水を検出しているが、センサ部２１に流れる電流変化により浸水を検出するようにしてもよい。
【符号の説明】
【００４８】
１…容器、１ａ…本体、１ｂ…蓋体、１ｃ…開口部、２…浸水検出センサ、２０…ベース、２０ａ…凹部、２１…センサ部、２１０…基材（ベースシート）、２１１…電極材（電極シート）、２１１ａ…リード、２１２…保護材（保護シート）、２２…押さえ部材、３…支持プレート、３ａ…凹部、３ｂ…貫通孔、４…ボルト（ビス）、５…カラー、６…リード線、７…コネクタ、８…定電圧電源、９…電圧計、１０…給水タンク、１１…ポンプ、１２…バルブ、１３…ノズル、１４…モータ、１５…回転テーブル、１５ａ…傾斜台、１６…モータ、１７…スリップリング、１８…端子台、１９…端子台、Ｌ…浸水（水滴）、Ｓ…検査面、Ｔ…検査対象物、Ｒ…抵抗、Ｘ…防水検査モジュール
【図１】
2011107096.tif 000003
【図２】
2011107096.tif 000004
【図３】
2011107096.tif 000005
【図４】
2011107096.tif 000006
【図５】
2011107096.tif 000007
【図６】
2011107096.tif 000008
【図７】
2011107096.tif 000009
【図８】
2011107096.tif 000010